(57)【要約】【課題】  受信電界の最大を示す角度が連続した角度に渡る場合においても、正確にピーク角度を見つけ出すことができ、送信側へ向けてのアンテナ方向調整を精度よく且つ迅速に行うことができるようにする。【解決手段】  パラボラアンテナを回転させながら、所定周期毎に、受信電界と回転角度を検出し、該検出した最大受信電界検出角度が複数ある場合、最大受信電界検出開始角度ＡSと、最大受信電界検出終了角度ＡEを検出し、該検出した受信電界検出開始角度ＡSと最大受信電界検出終了角度ＡEから最大受信電界角度ＡMを算出し、当該最大受信電界角度ＡMによってパラボラアンテナの方向調整を行うものである。【選択図】  図１
2005300309.tif 000002
【特許請求の範囲】
【請求項１】
パラボラアンテナを回転させながら、所定周期毎に、受信電界と回転角度を検出し、該検出した最大受信電界検出角度が複数ある場合、最大受信電界検出開始角度ＡSと、最大受信電界検出終了角度ＡEを検出し、該検出した受信電界検出開始角度ＡSと最大受信電界検出終了角度ＡEから最大受信電界角度ＡMを算出し、当該最大受信電界角度ＡMによってパラボラアンテナの方向調整を行うことを特徴とするパラボラアンテナの方向調整方法。
【請求項２】
請求項１において、
上記最大受信電界角度ＡMを、ＡM＝(ＡS＋ＡE)／２  により算出することを特徴とするパラボラアンテナの方向調整方法。
【発明の詳細な説明】
【技術分野】
【０００１】
本発明は、山頂等に設置されたＦＰＵ受信基地局の回転パラボラアンテナを中継車などの送信側の方向へ遠隔制御で方向調整する装置において、最も受信電界の強い方向へアンテナを向ける制御方法に関するものである。
【背景技術】
【０００２】
従来の回転パラボラアンテナの自動方向調整の方法は、手動にておおまかに受信電界の強い方向に向けた後、例えば図４に示す様な、アンテナ７の方向調整の開始と監視制御を行う操作表示部１と、この操作表示部からデータ伝送を行う伝送部２と、アンテナの左右及び上下の角度を制御する制御部６と、アンテナ角度の監視を行う監視部４と、アンテナから受信された電波の受信電界を入力するデータ入力部５と、監視部及びデータ入力部の情報を入力して制御部にアンテナ制御指示を行う指示部３とを有する構成において、操作表示部からの方向調整開始信号により、回転パラボラアンテナの現在角度を基点として、例えば、左へ３度、右へ３度、低速で回転させながら受信電界値を３０msec毎にサンプリングし、その回転移動範囲内で最初に検出した受信電界の最も強い角度へ移動させ、次に上へ３度、下へ３度低速で回転させながら受信電界値を３０msec毎にサンプリングし、その回転移動範囲内で最初に検出した受信電界の最も強い角度へ移動させることで行っていた(例えば、特許文献１参照)。
しかし、この方法によると受信電界の最も強い角度が複数角度に渡って存在するような場合には、最初に検出したピーク値と同じサンプリング値の場合はピークと判定しない為、移動開始角度に近い側の角度をピーク値として検出してしまうことになる。
【特許文献１】特開平５−２４０９３７号公報
【発明の開示】
【発明が解決しようとする課題】
【０００３】
従来の方式では、自動的に回転パラボラアンテナを回転させ受信電界の最大を示す角度(方向)は検出できるものの、受信電界の最大を示す角度に連続した範囲が存在する場合には、オペレータが手動にて回転パラボラアンテナを回転させ、受信電界の最大を示す開始角度と終了角度を測定し、その中心角度へ移動させるような操作を行わなければならない欠点があり、真の受信電界最大の角度を探し出すのに時間がかかってしまう。
本発明はこれらの欠点を除去し、受信電界の最大を示す角度が連続した角度に渡る場合においても、正確にピーク角度を見つけ出すことができ、送信側へ向けてのアンテナ方向調整を精度よく且つ迅速に行うことができるようにすることを目的とする。
【課題を解決するための手段】
【０００４】
本発明は上記目的を達成するため、回転パラボラアンテナを低速にて規定範囲を自動的に回転させ、その範囲内における受信電界の連続的な最大を示す角度の開始角度と終了角度を検出しその中心となる角度を算出し、その角度へ自動的に移動させる制御を行うことにより解決できる。
【発明の効果】
【０００５】
以上説明したように本発明によれば、受信電界の最大を示す角度が連続した角度に渡る場合においても、正確にピーク角度を見つけ出すことができ、送信側へ向けてのアンテナの方向調整を精度よく且つ迅速に行うことができる。
【発明を実施するための最良の形態】
【０００６】
以下、本発明について、図１〜図３を用いて説明する。まず、パラボラアンテナの回転角度と受信電界の関係を図２、図３で説明する。
図２は回転角度を横軸とし、受信電界レベルを縦軸としたアンテナ方向調整時の回転角度と受信電界レベルの関係を表すグラフである。  ここで、１０１は回転角度軸、１０２は受信電界レベル軸である。１０３は回転時の各々の検出した受信電界レベル、１０４は受信電界の最大となる範囲を示す。１０５は従来方式による最大受信電界時の角度を示し、１０６は本発明の方式による最大受信電界時の角度を示す。
図３は、規定角度範囲を低速でパラボラアンテナを回転させたときの回転角度と受信電界レベルのサンプリング例を表に纏めたものである。
図２、図３に示すように、受信電界の最大を示す角度に連続した範囲(１８０．６度〜１８１.４度)が存在する場合、このままでは受信電界の最大を示す角度を特定できない。
【０００７】
そこで、本発明では、図１に示すようにして、受信電界が最大となる角度値を算出するものである。以下、図１、図３によって、本発明の角度算出方法の一例を説明する。
本発明では、パラボラアンテナの方向調整を行う場合、図１に示すように、まず、
・ステップ１０：パラボラアンテナを回転させながら、所定周期(例えば30 msec毎)で、受信電界と回転角度を検出する。(図３)
・ステップ１１：検出した受信電界が最大となる角度が１つだけか、連続した範囲が存在するかを検出する。１つだけの場合(YES)は後述のステップ１４に進み、連続した範囲が存在する場合(NO)は後述のステップ１２に進む。
・ステップ１２：最大受信電界検出角度が複数ある(連続した範囲が存在する)場合、最大受信電界検出開始角度ＡS(１８０．６度)、最大受信電界検出終了角度ＡE(１８１．４度)を検出する。(図３)
・ステップ１３：検出した受信電界検出開始角度ＡSと最大受信電界検出終了角度ＡEから最大受信電界角度ＡMを算出、決定する。
最大受信電界角度ＡM＝(ＡS＋ＡE)／２
＝(１８０．６＋１８１．４)／２＝１８１．０度
・ステップ１４：検出、算出した最大受信電界角度ＡMに、パラボラアンテナを回転、移動させる。
以上の様な方法により、受信電界の最大を示す角度が連続した角度に渡る場合においても、正確にピーク角度を見つけ出すことができ、送信側へ向けてのアンテナの方向調整を精度よく且つ迅速に行うことができる。
【図面の簡単な説明】
【０００８】
【図１】本発明の受信電界が最大となる角度値算出方法の一例を説明するフローチャート
【図２】アンテナ方向調整時の回転角度と受信電界レベルの関係を表すグラフ
【図３】パラボラアンテナの回転角度と受信電界レベルのサンプリング例を表す図表
【図４】回転パラボラアンテナの方向調整の一例を説明するブロック図
【符号の説明】
【０００９】
１０：受信電界と回転角度の検出ステップ、１１：最大受信電界検出角度の数の検出ステップ、１２：最大受信電界検出開始角度と最大受信電界検出終了角度の検出ステップ、１３：最大受信電界角度算出ステップ、１４：パラボラアンテナの回転、移動ステップ。
【図１】
2005300309.tif 000003
【図２】
2005300309.tif 000004
【図３】
2005300309.tif 000005
【図４】
2005300309.tif 000006